(57)【要約】  【課題】冷蔵庫の天面に圧縮機を配設しても、運搬を容易に行う。  【解決手段】本発明の冷蔵庫の運搬用取っ手構造は、断熱箱体５と断熱箱体５の天面後方に設けた圧縮機７を収納する機械室である凹部６と、機械室である凹部６の背面側に冷蔵庫を運搬する際に用いる取っ手部であるハンドル用バー８とを備え、取っ手部によって機械室の背面側の左右方向における強度を保ち、背面板１９と略面一か背方向に突出する位置にハンドル用バー８を備えたものである。  これによって、冷蔵庫最上段凹部に圧縮機を搭載した冷蔵庫においても、取っ手部の強度を確保することができ、重心位置が高くなることで取っ手にかかる荷重がより大きい冷蔵庫を容易に運搬できるようになり、冷蔵庫の設置スペースも小さくできる。【選択図】図２
2007064594.tif 000002
【特許請求の範囲】
【請求項１】
断熱箱体と、前記断熱箱体の天面後方に設けた圧縮機を収納する空間を有する機械室と、前記機械室を覆うカバーを設け、前記機械室の外郭に冷蔵庫を運搬する際に用いる取っ手部とを備え、前記取っ手部は、左右方向に渡って備えられる連結部材を前記機械室のカバーの外側に設け、その連結部材は断熱箱体の上背部に設けられた構造を有するものである冷蔵庫。
【請求項２】
機械室は断熱箱体の天面後方に凹部を設けることで形成され、取っ手部は、両端部が前記凹部の外郭を形成する両側壁に固定されるとともに前記機械室の左右方向に渡って備えられたハンドル用バーであり、断熱箱体の背面板と略面一か、それ以上背方向に突出した請求項１に記載の冷蔵庫。
【発明の詳細な説明】
【技術分野】
【０００１】
本発明は圧縮機を天面部に積載した場合の冷蔵庫の運搬用取っ手構造に関するものである。
【背景技術】
【０００２】
近年、冷蔵庫は、その使い勝手や収納性の向上が求められている。
【０００３】
従来の家庭用の冷蔵庫は、背面側の最下部に圧縮機が配設されており、冷蔵庫の背面側の天面部に運搬用の取っ手が備えられていた。
【０００４】
図５は従来の冷蔵庫の概略断面図を示すものであり、図６は従来の冷蔵庫の取っ手部の斜視図を示すものである。
【０００５】
図５に示すように、背面側の最下部に圧縮機が配設されている断熱箱体１は、天面後方に運搬用取手５が設けられており、運搬用取手５は背面側の発泡断熱材が充填される部分の一部を凹ませて形成されていた（例えば、特許文献１参照）。
【０００６】
また、図５のような貯蔵室が一つの比較的小さい容量の冷蔵庫においては、上記のような指を引っ掛けるタイプの運搬用取手５が用いられていたが、近年の主流である大容量で複数の貯蔵室を有した比較的大型で重量の大きい冷蔵庫においては、指を引っ掛けるタイプの運搬用取手５では、持ち運び時には指からすべり落ちるといった危険があるため、図７に示すような手で握るタイプの運搬用取手１３ａが用いられている（例えば、特許文献２参照）。
【特許文献１】実開昭６０−１９１８８７号公報
【特許文献２】特開平７−２７００４１号公報
【発明の開示】
【発明が解決しようとする課題】
【０００７】
しかしながら、上記従来の構成では、圧縮機を天面側に配置した場合には、圧縮機を収納する為の大きな空間部である機械室が冷蔵庫の天面側後方に位置するため、機械室の空間部によって天面後方部分の強度が弱くなり、断熱箱体の機械室周辺に運搬用取手を設けるのが困難であった。
【０００８】
また、冷蔵庫の天面側後方部に、冷蔵庫の構成部品の中で比較的重量の重い物である圧縮機を収納するので、冷蔵庫の重心位置が高くなり冷蔵庫を運搬するときには圧縮機の周辺である機械室近傍に運搬用取手を設けないと運搬しにくいという問題があった。
【０００９】
本発明は、上記従来の課題を解決するもので、圧縮機を天面側に配置した場合でも、冷蔵庫の機械室周辺の強度を向上させるとともに、運搬用取手の強度を確保することで重心位置が高くなった冷蔵庫を安全に運搬できるようにする運搬用取っ手構造を備えた冷蔵庫を提供することを目的とする。
【課題を解決するための手段】
【００１０】
上記従来の課題を解決するために、本発明の冷蔵庫は、断熱箱体と、前記断熱箱体の天面後方に設けた圧縮機を収納する空間を有する機械室と、前記機械室の外郭に冷蔵庫を運搬する際に用いる取っ手部とを備え、前記取っ手部は運搬時の前記機械室のカバーの左右方向における強度を補強する補強構造を有し、その連結部材は断熱箱体の上背部に設けられ、断熱箱体の背面板と略面一か、それ以上背方向に突出した構造を有するものであることを特徴とする。
【００１１】
これによって、機械室の空間部によって強度が弱くなった断熱箱体の機械室周辺の強度を上げるとともに、運搬用取っ手部の強度を確保することで重心位置が高くなった冷蔵庫を安全に運搬できるようにするとともに、冷蔵庫の設置スペースを小さくする。
【発明の効果】
【００１２】
本発明の冷蔵庫は、機械室の空間部によって強度が弱くなった断熱箱体の機械室周辺の強度を上げるとともに、運搬用の取っ手部の強度を確保することで重心位置が高くなった冷蔵庫を安全に運搬できるようにすることで、圧縮機を天面側に配置した冷蔵庫の運搬時における安全性および使い勝手を向上させ、冷蔵庫の設置スペースも小さくすることができる。
【発明を実施するための最良の形態】
【００１３】
請求項１に記載の発明は、断熱箱体と、前記断熱箱体の天面後方に設けた圧縮機を収納する空間を有する機械室と、前記機械室を覆おうカバーを設け、前記機械室の外郭に冷蔵庫を運搬する際に用いる取っ手部とを備え、前記取っ手部は左右方向に渡って備えられる連結部材を前記機械室のカバーの外側に設け、その連結部材は断熱箱体の上背部に設けられた構造を有するものである。
【００１４】
これによって、機械室の空間部によって強度が弱くなった断熱箱体の機械室周辺の強度を上げるとともに、運搬用の取っ手部の強度を確保することで重心位置が高くなったことで運搬時の取っ手にかかる荷重が大きい冷蔵庫を安全に運搬できるようにする。
【００１５】
請求項２に記載の発明は、機械室は断熱箱体の天面後方に凹部を設けることで形成され、取っ手部は、両端部が前記凹部の両側壁に固定されるとともに前記機械室の左右方向に渡って備えられたハンドル用バーであり、断熱箱体の背面板と略面一かそれ以上背方向に突出した前記ハンドル用バーを形成したものである。
【００１６】
これによって、機械室の左右方向における強度を補強すると同時に機械室の背面側に取っ手部を備えることができ、一つの部材で機械室の強度の補強と手で握る部分との両方を備えることができると共に、冷蔵庫の設置スペースも小さくすることが出きる。
【００１７】
以下、本発明の実施の形態について、図面を参照しながら説明する。尚、この実施の形態によってこの発明が限定されるものではない。
【００１８】
（実施の形態１）
図１は、本発明の実施の形態１における冷蔵庫の概略断面図を示すものであり、図２（ａ），（ｂ）は冷蔵庫の要部斜視図を示すものであり、図３（ａ）は図２のＡ−Ａ線断面図、図３（ｂ）は図２のＢ−Ｂ線断面図を示すものであり、図４は冷蔵庫運搬時の概略図を示すものである。
【００１９】
図１、図２において、５は本発明の断熱箱体で、この断熱箱体５の天面後方に設けた機械室である凹部６に圧縮機７を取り付けている。凹部６の天面および背面を隠すようにカバー９が取り付けられ、カバー９の外側に、ハンドル用バー８が位置している。このハンドル用バー８は、凹部６の両側壁１０に両端部を固定している。ハンドル用バー８の周辺には運搬時に手の逃げとなる握り部の空間１１が必要で、この握り部の空間１１は、カバー９に形成されたカバーの凹部１２で構成されている。
【００２０】
また、圧縮機７は、凹部６の幅方向に対して左右の空間１３を有するように配置されており、握り部の空間１１も圧縮機７から離れた左右の握り部の空間１４でわかれて形成され、カバー９に左右の凹部１５をそれぞれ設けている。
【００２１】
図３において、断熱箱体５は、外箱１６と、内箱１７と、機械室となる凹部６を形成するための外板であるパネルトップ１８で構成され、ハンドル用バー８を固定している凹部６の両側壁１０は、外箱１６と、内箱１７と、パネルトップ１８の中に充填される発泡断熱材により外郭形成されている。また、ハンドル用バー８は背面板１９と略面一か、それ以上背方向に突出した位置に設置されている。
【００２２】
図４は本発明の冷蔵庫の運搬時にハンドル用バー８を持って運搬するときの概略図である。
【００２３】
以上のように構成された冷蔵庫について、以下その動作、作用を説明する。
【００２４】
まず、断熱箱体５の天面後方に設けた凹部６と、凹部６に設けた圧縮機７と、凹部６の両側壁１０に端部を固定されたハンドル用バー８を備えて、このハンドル用バー８は凹部６の左右を横断するように配置し、補強部材であると同時に、取っ手部であるように構成したので、凹部６の空間部によって強度が弱くなった断熱箱体の凹部６周辺の強度を上げるとともに、運搬用の取っ手部の強度を確保することで、重心位置が高くなったことで運搬時の取っ手にかかる荷重が大きい冷蔵庫を安全に運搬できるようにする。
【００２５】
また、取っ手をつける際に、凹部の空間を利用するので、冷蔵庫の庫内容積を減少させることなく、重心位置が高くなった冷蔵庫を容易に運搬できるようになる。
【００２６】
また、凹部６の天面および背面を隠すように取り付けられたカバー９に対してハンドル用バー８は外側に配置し、ハンドル用バー８の周辺に運搬時の握り部の空間１１を設け、この握り部の空間１１をカバーの凹部１２で形成することにより、ハンドル用バー８によって凹部６の左右方向における強度を補強すると同時に機械室の背面側に取っ手部を備えることができ、一つの部材で機械室の強度の補強構造と手で握る部分との両方を備えることができる。
【００２７】
また、ハンドル用バー８は背面板１９と略面一か、それ以上に背方向に突出した位置に設置されるので、省スペースな空間に運搬用取っ手構造を提供できる。
【００２８】
また、圧縮機７は、凹部６の幅方向に対して左右の空間１３を有するように配置されており、握り部の空間１１も圧縮機７から離れた左右の握り部の空間１４に分かれて形成され、前記圧縮機の左右の空間１３にて左右の握り部の空間１４を構成するように、カバー９に左右の凹部１５を設けたことにより、圧縮機７の左右の空間１３を有効に運搬用の取っ手のスペースとして使用でき、圧縮機７から逃げた位置で、さらに省スペースな空間にて運搬用取っ手構造を提供できる。
【００２９】
また、凹部６の両側壁１０は、外箱１６と、内箱１７と、パネルトップ１８で構成され、その中に発泡断熱材を充填されるにより、ハンドル用バー８の両端部の取り付け部である側壁１０の強度が補強され、ハンドル用バー８の取り付け強度を上げる構造を提供できる。
【００３０】
なお、ハンドルバー８の形状や材料にもよるが、握り部となる部分の外郭形状や表面状態が、手で握った際に握りにくかったり、手が痛いなど負担がかかることが懸念される場合は、当該握り部に運搬性を高める外郭構造を付加することでこれらの問題を解消することができる。具体的には、ハンドルバー８の握り部周囲に樹脂製の別部品を被せたり、この別部品を握りやすい形状に工夫したり、滑りにくくグリップ性の高いゴム系などの材料で形成した別部品で覆ったりすることで対応が可能である。
【産業上の利用可能性】
【００３１】
本発明の冷蔵庫の運搬用取っ手構造は、冷蔵庫最上段の圧縮機搭載の凹部を利用して、内容積を減少させることなく、重心位置が高くなった冷蔵庫を用意に運搬することができるものなので、業務用の大型冷蔵庫および冷凍庫やショーケースといった冷凍機器にも適用できる。
【図面の簡単な説明】
【００３２】
【図１】本発明の実施の形態１における冷蔵庫の概略断面図
【図２】（ａ）同実施の形態における冷蔵庫の要部斜視図（ｂ）同実施の形態における冷蔵庫の要部斜視図
【図３】（ａ）図２のＡ−Ａ線断面図（ｂ）図２のＢ−Ｂ線断面図
【図４】同実施の形態における冷蔵庫運搬時の概略図
【図５】従来の冷蔵庫の概略断面図
【図６】従来の冷蔵庫の背面上部の斜視図
【符号の説明】
【００３３】
５    断熱箱体
６    凹部
７    圧縮機
８    ハンドル用バー（取っ手部）
９    カバー
１０  側壁
１１  握り部の空間
１２  カバーの凹部
１３  圧縮機左右の空間
１４  左右の握り部の空間
１５  左右の凹部
１９  背面板
【図１】
2007064594.tif 000003
【図２】
2007064594.tif 000004
【図３】
2007064594.tif 000005
【図４】
2007064594.tif 000006
【図５】
2007064594.tif 000007
【図６】
2007064594.tif 000008